(57)【要約】【課題】本発明は、良好な不可視特性を確保するとともに、ＥＳＤ耐性を向上させることが可能な入力装置を提供することを目的とする。【解決手段】本発明の入力装置は、透明基材２０と、透明基材２０に形成された複数の第１の透明電極３０及び複数の第２の透明電極４０とを有し、第１の透明電極３０は、複数の第１の透明電極部３１と、第１の透明電極部３１同士を接続するブリッジ部３２とを有し、第２の透明電極４０は、複数の第２の透明電極部４１と、第２の透明電極部４１同士を接続する幅細部４２を有し、第１の透明電極部３１と第２の透明電極部４１は第１の間隔を設けて隣り合う位置に形成され、第１の透明電極部３１または第２の透明電極部４１の一方は突出部５０を有し、突出部５０は、第１の透明電極部３１または第２の透明電極部４１の他方に向かい突出していることを特徴とする。【選択図】図３
2014153789.tif 000002
【特許請求の範囲】
【請求項１】
透明基材と、
前記透明基材に形成された複数の第１の透明電極及び複数の第２の透明電極とを有し、
前記第１の透明電極は、複数の第１の透明電極部と、前記第１の透明電極部同士を接続するブリッジ部とを有し、
前記第２の透明電極は、複数の第２の透明電極部と、前記第２の透明電極部同士を接続する幅細部を有し、
前記第１の透明電極と前記第２の透明電極とは、交差する方向にそれぞれ延在して形成されて、前記ブリッジ部が絶縁層を介して前記幅細部の上に形成されてなり、
前記第１の透明電極部と前記第２の透明電極部は第１の間隔を設けて隣り合う位置に形成され、前記第１の透明電極部または前記第２の透明電極部の一方は突出部を有し、前記突出部は、前記第１の透明電極部または前記第２の透明電極部の他方に向かい突出していることを特徴とする入力装置。
【請求項２】
前記第１の透明電極部または前記第２の透明電極部の他方において、前記突出部を囲むように凹部が形成されており、
前記凹部の内周と前記突出部とは第２の間隔を設けて形成され、前記第２の間隔は前記第１の間隔よりも小さいことを特徴とする請求項１に記載の入力装置。
【請求項３】
前記突出部は、島状部と、前記第１の透明電極部または前記第２の透明電極部の一方と前記島状部とを接続する接続部とを有して構成されることを特徴とする請求項２に記載の入力装置。
【請求項４】
前記絶縁層は前記幅細部を覆い形成されており、前記第１の透明電極部または前記第２の透明電極部の一方に形成された接続部は、前記第１の透明電極部または前記第２の透明電極部の他方に向かい延在するとともに、前記島状部は、前記接続部の端部において前記絶縁層から離れる方向に向かって形成されていることを特徴とする請求項３に記載の入力装置。
【請求項５】
前記第１の透明電極部には第１の突出部が形成されるとともに、前記第２の透明電極部には第２の突出部が形成されており、前記第１の突出部と前記第２の突出部とは、前記第１の間隔よりも小さい第３の間隔を設けて対向して形成されていることを特徴とする請求項１に記載の入力装置。
【請求項６】
前記第１の透明電極が延在する方向に対して直交する方向において、前記第１の突出部と前記第２の突出部とが対向して形成されていることを特徴とする請求項５に記載の入力装置。
【請求項７】
前記第２の透明電極部は、前記ブリッジ部を介して接続された２つの第１の透明電極部に挟まれて形成されており、
前記２つの第１の透明電極部のうち、一方の前記第１の透明電極部と前記第２の透明電極部とが対向する領域、及び他方の前記第１の透明電極部と前記第２の透明電極部とが対向する領域のいずれかの領域においてのみ、前記突出部が形成されていることを特徴とする請求項１から請求項６のいずれか１項に記載の入力装置。
【発明の詳細な説明】
【技術分野】
【０００１】
本発明は、入力装置に関し、特に、ＥＳＤ耐性を向上させることが可能な入力装置に関する。
【背景技術】
【０００２】
特許文献１には、第１の透明電極部と第２の透明電極部との間の静電容量値の変化に基づいて入力位置を検出する入力装置について記載されている。図１１は、特許文献１に記載されている従来例の入力装置について、部分拡大平面図を示す。
【０００３】
図１１に示すように、従来例の入力装置１１０は、透明基材１２０と、透明基材１２０に形成された第１の透明電極１３０及び第２の透明電極１４０とを有して構成される。第１の透明電極１３０は、間隔を設けて配置された複数の第１の透明電極部１３１がブリッジ部１３２によって接続されて、Ｘ１−Ｘ２方向において延在している。また、第２の透明電極１４０は、複数の第２の透明電極部１４１が幅細部１４２によって接続されて、Ｙ１−Ｙ２方向において延在している。そして、図１１に示すように、第１の透明電極１３０のブリッジ部１３２が、第２の透明電極１４０の幅細部１４２の上に交差して形成されており、ブリッジ部１３２と幅細部１４２とは、絶縁層１３３を介して電気的に絶縁されている。
【０００４】
従来例の入力装置１１０は、第１の透明電極部１３１と第２の透明電極部１４１との間で静電容量を有するように構成されており、操作者の入力操作による静電容量の変化に基づいて、入力位置情報を検出することができる。入力装置１１０は、表示装置等の上に重ねて用いられて、表示装置の表示画像を視認しながら入力操作が可能な透光型の入力装置である。そのため、外部から視認されない良好な不可視特性を実現するために、ブリッジ部１３２は幅細に形成されている。なお、幅細部１４２とブリッジ部１３２とが重なる部分において生じる静電容量は、寄生容量となるため、ブリッジ部１３２及び幅細部１４２は第１の透明電極部１３１及び第２の透明電極部１４１よりも幅細に形成されている。
【先行技術文献】
【特許文献】
【０００５】
【特許文献１】特開２００８−３１０５５０号公報
【発明の概要】
【発明が解決しようとする課題】
【０００６】
しかしながら、従来例の入力装置１１０の製造工程において、透明基材１２０の帯電や人体等の外部の物体の帯電などにより、静電気放電（ＥＳＤ：Ｅｌｅｃｔｒｏ−Ｓｔａｔｉｃ−Ｄｉｓｃｈａｒｇｅ）が発生し、入力装置１１０が損傷するという課題がある。
【０００７】
具体的には、図１１に示す従来例の入力装置１１０において、ブリッジ部１３２及び幅細部１４２は第１の透明電極部１３１や第２の透明電極部１４１よりも幅細に形成され抵抗値が高くなっているため、ＥＳＤによりサージ電流が発生した場合に、ブリッジ部１３２及び幅細部１４２が溶断しやすくなる。また、幅細部１４２とブリッジ部１３２とが絶縁層１３３を介して積層された部分において、絶縁層１３３の絶縁耐圧以上のＥＳＤが発生した場合には絶縁層１３３が絶縁破壊されて、幅細部１４２とブリッジ部１３２とのショートや、幅細部１４２又はブリッジ部１３２の溶断が発生する。このような場合、入力装置１１０としての機能が損なわれて、入力位置の検出ができなくなる。
【０００８】
ブリッジ部１３２及び幅細部１４２を幅広に、又は厚く形成することにより、ＥＳＤ耐性を向上させて溶断を抑制することが可能である。しかし、この場合ブリッジ部１３２、及び幅細部１４２が外部から視認され易くなるため、不可視特性を確保しつつＥＳＤ耐性を向上させることは困難である。
【０００９】
本発明は、上記課題を解決して、良好な不可視特性を確保するとともに、ＥＳＤ耐性を向上させることが可能な入力装置を提供することを目的とする。
【課題を解決するための手段】
【００１０】
本発明の入力装置は、透明基材と、前記透明基材に形成された複数の第１の透明電極及び複数の第２の透明電極とを有し、前記第１の透明電極は、複数の第１の透明電極部と、前記第１の透明電極部同士を接続するブリッジ部とを有し、前記第２の透明電極は、複数の第２の透明電極部と、前記第２の透明電極部同士を接続する幅細部を有し、前記第１の透明電極と前記第２の透明電極とは、交差する方向にそれぞれ延在して形成されて、前記ブリッジ部が絶縁層を介して前記幅細部の上に形成されてなり、前記第１の透明電極部と前記第２の透明電極部は第１の間隔を設けて隣り合う位置に形成され、前記第１の透明電極部または前記第２の透明電極部の一方は突出部を有し、前記突出部は、前記第１の透明電極部または前記第２の透明電極部の他方に向かい突出していることを特徴とする。
【００１１】
これによれば、突出部が設けられた箇所において、第１の透明電極部と第２の透明電極部との間隔の小さい箇所が形成される。そのため、突出部と第１の透明電極部との間、または突出部と第２の透明電極部との間において静電気の放電経路が形成される。したがって、ブリッジ部、幅細部とは異なる箇所において放電させることが可能であるため、ブリッジ部、幅細部が静電気放電により損傷を受けることを抑制できる。また、突出部と第１の透明電極部との間、または突出部と第２の透明電極部との間を放電経路とすることにより、ＥＳＤの耐性を向上させるためブリッジ部及び幅細部の幅及び厚さ寸法を従来例に比べて大きく形成する必要がないため、良好な不可視特性を確保できる。したがって、本発明の入力装置によれば、良好な不可視特性を確保するとともに、ＥＳＤ耐性を向上させることができる。
【００１２】
本発明の入力装置は、前記第１の透明電極部または前記第２の透明電極部の他方において、前記突出部を囲むように凹部が形成されており、前記凹部の内周と前記突出部とは第２の間隔を設けて形成され、前記第２の間隔は前記第１の間隔よりも小さいことが好ましい。これによれば、第２の間隔が第１の間隔よりも小さいことから、凹部の内周と突出部との間に静電気の放電の経路となる箇所を設けることが容易であり、静電気放電の発生によるブリッジ部及び幅細部の損傷が確実に抑制される。
【００１３】
本発明の入力装置において、前記突出部は、島状部と、前記第１の透明電極部または前記第２の透明電極部の一方と前記島状部とを接続する接続部とを有して構成されることが好ましい。これによれば、静電気放電が発生したときに接続部が優先的に溶断するように形成することが容易であり、静電気放電の発生によるブリッジ部及び幅細部の損傷が確実に抑制される。
【００１４】
本発明の入力装置において、前記絶縁層は前記幅細部を覆い形成されており、前記接続部は、前記第１の透明電極部または前記第２の透明電極部の一方に形成された接続部は、前記第１の透明電極部または前記第２の透明電極部の他方に向かい延在するとともに、前記島状部は、前記接続部の端部において前記絶縁層から離れる方向に向かい形成されていることが好適である。これによれば、突出部を介した静電気の放電経路が、絶縁層から離れた位置を経由するため、絶縁層の周縁部における沿面放電の発生を防止して、沿面放電による第１の透明電極部または第２の透明電極部の損傷を防止できる。
【００１５】
本発明の入力装置は、前記第１の透明電極部には第１の突出部が形成されるとともに、前記第２の透明電極部には第２の突出部が形成されており、前記第１の突出部と前記第２の突出部とは、前記第１の間隔よりも小さい第３の間隔を設けて対向して形成されていることを特徴とする。これによれば、第１の突出部と第２の突出部とが対向した箇所において静電気放電の経路が形成され、ブリッジ部、幅細部とは異なる箇所において放電させることが可能であるため、静電気放電の発生によるブリッジ部及び幅細部の損傷が抑制される。
【００１６】
本発明の入力装置は、前記第１の透明電極が延在する方向に対して直交する方向において、前記第１の突出部と前記第２の突出部とが対向して形成されていることが好ましい。これによれば、前記第１の突出部及び前記第２の突出部を介した静電気放電の経路が、ブリッジ部から離れた位置に形成されるため、ブリッジ部及び幅細部での静電気放電の発生が確実に抑制される。
【００１７】
本発明の入力装置において、前記第２の透明電極部は、前記ブリッジ部を介して接続された２つの第１の透明電極部に挟まれて形成されており、前記２つの第１の透明電極部のうち、一方の前記第１の透明電極部と前記第２の透明電極部とが対向する領域、及び他方の前記第１の透明電極部と前記第２の透明電極部とが対向する領域のいずれかの領域においてのみ、前記突出部が形成されていることが好適である。これによれば、静電気の放電経路が第２の透明電極部を横断して形成されないため、大きな静電気放電が発生した場合においても、第２の透明電極部が損傷を受けることが防止できる。
【発明の効果】
【００１８】
本発明の入力装置によれば、良好な不可視特性を確保するとともに、ＥＳＤ耐性を向上させることが可能である。
【図面の簡単な説明】
【００１９】
【図１】本発明の第１の実施形態の入力装置を構成する透明基材の平面図である。
【図２】図１のＩＩ−ＩＩ線で切断したときの入力装置の部分拡大断面図である。
【図３】第１の実施形態の入力装置における、第１の透明電極部及び第２の透明電極部の部分拡大平面図である。
【図４】第１の実施形態の入力装置における、突出部の部分拡大平面図である。
【図５】第２の実施形態の入力装置における、第１の透明電極部及び第２の透明電極部の部分拡大平面図である。
【図６】第３の実施形態の入力装置における、第１の透明電極部及び第２の透明電極部の部分拡大平面図である。
【図７】第３の実施形態の変形例の入力装置を示す、部分拡大平面図である。
【図８】第３の実施形態の変形例における、突出部の部分拡大平面図である。
【図９】第４の実施形態の入力装置における、第１の透明電極部及び第２の透明電極部の部分拡大平面図である。
【図１０】第４の実施形態の変形例を示す、第１の透明電極部及び第２の透明電極部の部分拡大平面図である。
【図１１】従来例の入力装置を示す、部分拡大平面図である。
【発明を実施するための形態】
【００２０】
以下、図面を参照して、本発明の具体的な実施形態の入力装置について説明する。なお、各図面の寸法は適宜変更して示している。
【００２１】
＜第１の実施形態＞
図１は、本発明の第１の実施形態の入力装置を構成する透明基材の平面図である。図２は、図１のＩＩ−ＩＩ線で切断して矢印方向から見たときの、入力装置の部分拡大断面図である。
【００２２】
図１に示すように、本実施形態の入力装置１０は、透明基材２０と、透明基材２０に形成された複数の第１の透明電極３０及び複数の第２の透明電極４０とを有して構成される。複数の第１の透明電極３０の各々は、Ｘ１−Ｘ２方向において間隔を設けて配列された複数の第１の透明電極部３１と、第１の透明電極部３１同士を接続するブリッジ部３２とを有して構成される。また、複数の第２の透明電極４０の各々は、複数の第２の透明電極部４１と、第２の透明電極部４１同士を接続する幅細部４２とを有して構成される。図１に示すように、第１の透明電極３０はＸ１−Ｘ２方向に延在して形成され、第２の透明電極４０はＹ１−Ｙ２方向に延在して形成されており、第１の透明電極３０と第２の透明電極４０とは、互いに交差して形成されている。
【００２３】
図１及び図２に示すように、入力装置１０において、幅細部４２とブリッジ部３２とが交差するように第１の透明電極３０及び第２の透明電極４０が形成されている。図２に示すように、ブリッジ部３２は、絶縁層３３（図１では省略して示す）を介して幅細部４２の上に形成されており、ブリッジ部３２は、幅細部４２及び絶縁層３３を跨がって第１の透明電極部３１同士を接続する。
【００２４】
また、図２に示すように、本実施形態の入力装置１０は、透明基材２０が光学粘着層２６を介してパネル２８に貼り合わされて構成される。本実施形態の入力装置１０は静電容量式の入力装置であり、操作者が指などをパネル２８（図１では図示しない）の表面に接触又は接近させて入力操作を行う際に、第１の透明電極部３１と第２の透明電極部４１との間の静電容量の変化に基づいて入力位置を検出する。
【００２５】
図１に示すように、第１の透明電極３０及び第２の透明電極４０は、入力操作を行う入力領域１５に形成されている。また、入力領域１５の外周の非入力領域１６において、第１の透明電極３０及び第２の透明電極４０から引き出された引出配線２２が形成されており、引出配線２２は、外部のフレキシブル基板と接続するための端子部２３に接続されている。なお、入力領域１５は透光領域であり、操作者から視認されないように第１の透明電極部３１及び第２の透明電極部４１、幅細部４２には透明な材料が用いられる。また、非入力領域１６は、加飾層（図示しない）などが設けられた非透光領域であるため、操作者から引出配線２２及び端子部２３が視認されることはない。
【００２６】
透明基材２０は、フィルム状の樹脂材料を用いて形成されており、ポリカーボネート樹脂（ＰＣ）、ポリエチレンテレフタレート樹脂（ＰＥＴ）、ポリエチレンナフタレート樹脂（ＰＥＮ）、環状ポリオレフィン（ＣＯＰ）、ポリメタクリル酸メチル樹脂（ＰＭＭＡ）等の透光性樹脂材料が用いられる。そして、第１の透明電極部３１、第２の透明電極部４１、及び幅細部４２は、ＩＴＯ（Ｉｎｄｉｕｍ  Ｔｉｎ  Ｏｘｉｄｅ）、ＳｎＯ２、ＺｎＯ等の透明導電材料を用いて形成されており、スパッタや蒸着等の薄膜法により形成される。また、引出配線２２及び端子部２３には、ＣｕやＡｇ、またはＣｕ合金、Ａｇ合金等の金属材料が用いられる。
【００２７】
次に、第１の透明電極部３１及び第２の透明電極部４１の構成について説明する。図３は、本実施形態における、第１の透明電極部及び第２の透明電極部の部分拡大平面図である。
【００２８】
図３に示すように、本実施形態の入力装置１０において、複数の第１の透明電極部３１及び複数の第２の透明電極部４１は、それぞれ菱形形状に形成されている。隣り合う位置に配置された第１の透明電極部３１及び第２の透明電極部４１は、対向する辺同士が略平行となるように形成されている。そして、間隔を設けて隣り合う位置に形成された第１の透明電極部３１または第２の透明電極部４１の一方において突出部５０が設けられており、突出部５０は、第１の透明電極部３１または第２の透明電極部４１の他方に向かい突出している。また、隣り合う第１の透明電極部３１または第２の透明電極部４１の他方において、突出部５０を囲むように凹部５４が形成されている。
【００２９】
図３に示すように、第１の透明電極部３１ａにおいて、Ｙ２方向に臨む２辺のそれぞれに突出部５０が形成されており、第１の透明電極部３１ａに隣り合う位置に形成される第２の透明電極部４１ａ、第２の透明電極部４１ｂには、それぞれ突出部５０を囲むように凹部５４が形成されている。第１の透明電極部３１ａのＹ１方向において隣り合う位置に形成された第２の透明電極部４１ｃは、同様に、Ｙ２方向に臨む２辺のそれぞれに突出部５０が形成されており、第１の透明電極部３１ａのＹ１方向に臨む２辺のそれぞれに突出部５０を囲むように凹部５４が形成されている。
【００３０】
本実施形態の入力装置１０において、図３に示すように、突出部５０が設けられた箇所において、第１の透明電極部３１と第２の透明電極部４１との間隔が小さい箇所が形成される。そのため、静電気放電（ＥＳＤ：Ｅｌｅｃｔｒｏ−Ｓｔａｔｉｃ−Ｄｉｓｃｈａｒｇｅ）が発生した場合において、突出部５０と第１の透明電極部３１、または突出部５０と第２の透明電極部４１との間において静電気の放電経路が形成される。したがって、ブリッジ部３２や幅細部４２よりも放電しやすい放電経路を設けて、ブリッジ部３２や幅細部４２とは異なる箇所において放電させることが可能であるため、ブリッジ部３２、幅細部４２が静電気放電により損傷を受けることを抑制できる。また、突出部５０と第１の透明電極部３１、または突出部５０第２の透明電極部４１との間を静電気の放電経路とすることにより、ＥＳＤの耐性を向上させるためブリッジ部３２及び幅細部４２の幅及び厚さ寸法を大きく形成する必要がないため、良好な不可視特性を確保できる。
【００３１】
したがって、本実施形態の入力装置１０によれば、良好な不可視特性を確保するとともに、ＥＳＤ耐性を向上させることができる。
【００３２】
図４は、突出部５０の部分拡大平面図であり、図３に示す点線ＩＶで囲む領域について、拡大して示す。図４に示すように、突出部５０は、島状部５０ａと、島状部５０ａと第１の透明電極部３１ｂとを接続する接続部５０ｂを有して構成される。
【００３３】
図４に示すように、島状部５０ａは矩形状に形成されており、島状部５０ａの長辺に接続部５０ｂが設けられている。図４に示すように、第１の透明電極部３１ｂと第２の透明電極部４１ａとは第１の間隔Ａを設けて隣り合う位置に形成されている。また、突出部５０と凹部５４の内周は、第２の間隔Ｂ〜Ｅを設けて形成されている。島状部５０ａの各辺と凹部５４の内周とは第２の間隔Ｃ、Ｄ、Ｅを有して形成され、接続部５０ｂと凹部５４とは第２の間隔Ｂを有して形成されている。図４に示すように、第１の間隔Ａは、第１の透明電極部３１ｂと第２の透明電極部４１ａとの対向する辺に対して直交する方向における間隔を示す。また、第２の間隔Ｂ〜Ｅはいずれも、凹部５４の内周と突出部５０とのそれぞれ対向する辺に直交する方向における間隔を示している。そして、第２の間隔Ｂ〜Ｅは第１の間隔Ａよりも小さく形成されている。
【００３４】
図４に示すように、突出部５０と凹部５４の内周とは、第１の透明電極部３１と第２の透明電極部４１との第１の間隔Ａよりも小さい第２の間隔Ｂ〜Ｅを設けて形成される。これにより、ＥＳＤが発生した場合における静電気の放電経路となる箇所を複数設けることが容易である。よって、ブリッジ部３２及び幅細部４２の静電気放電による損傷が確実に抑制される。なお、本実施形態において、突出部５０と凹部５４との第２の間隔Ｃ、Ｄ、Ｅは、ほぼ等しい間隔で形成されているが、互いに異ならせて形成することもできる。
【００３５】
また、接続部５０ｂの幅は、島状部５０ａよりも幅細に形成されている。よって、静電気放電が発生したときに接続部５０ｂが優先的に溶断して、静電気放電のエネルギーが熱に変換されて、ブリッジ部３２及び幅細部４２等、他の箇所での損傷が抑制される。なお、第１の透明電極部３１または第２の透明電極部４１の各々の面積に対して、島状部５０ａの面積は１０％以下、より好ましくは３〜５％にすることが望ましい。こうすれば、静電気放電により接続部５０ｂが断線した場合であっても、入力装置１０の感度の低下を抑制して、入力位置検出機能が確保される。
【００３６】
以上のように本実施形態の入力装置１０によれば、良好な不可視特性を確保するとともに、ＥＳＤ耐性を向上させることができ、ブリッジ部３２及び幅細部４２の断線を防止できる。
【００３７】
なお、島状部５０ａの形状は図４に示すような矩形状に限られず、三角形状、多角形状など他の形状であっても良い。
【００３８】
＜第２の実施形態＞
図５は、第２の実施形態の入力装置１１を示し、第１の透明電極部３１及び第２の透明電極部４１の部分拡大平面図である。図５に示すように、第２の透明電極部４１ａは、ブリッジ部３２を介して接続された２つの第１の透明電極部３１ａ、３１ｂにより、Ｘ１−Ｘ２方向に挟まれて配置されている。本実施形態の入力装置１１においては、第２の透明電極部４１ａを挟む２つの第１の透明電極部３１ａ、３１ｂのうち、一方の第１の透明電極部３１ｂと前記第２の透明電極部４１ａとが対向する領域においてのみ突出部５０及び凹部５４が形成されている。そして、第１の透明電極部３１ａ、３１ｂのうち他方の第１の透明電極部３１ａと第２の透明電極部４１ａとが対向する領域においては、突出部５０及び凹部５４が形成されていない。
【００３９】
すなわち、第１の透明電極部３１ｂにおいて、第１の透明電極部３１ｂのＹ２側に臨む２辺のうち、一方の辺にのみ突出部５０が形成されており、第２の透明電極部４１ａのＹ１側に臨む２辺のうち、一方の辺側にのみ突出部５０を囲むように凹部５４が形成されている。
【００４０】
図３に示す第１の実施形態の入力装置１０においては、第２の透明電極部４１の４辺について突出部５０または凹部５４が設けられており、ブリッジ部３２及び幅細部４２以外の箇所に静電気放電経路を設けることができる。しかし、大きい静電気放電が発生した場合において、第２の透明電極部４１をＸ１−Ｘ２方向に平行に挟んで形成された２つの突出部５０間に静電気放電が集中して、第２の透明電極部４１が断線する場合がある。
【００４１】
第２の実施形態の入力装置１１においては、静電気の放電経路が第２の透明電極部４１をＸ１−Ｘ２方向に平行に横断して形成されず、また、突出部５０同士の間隔が長くなるため、大きな静電気放電が発生した場合においても、第２の透明電極部４１が損傷を受けて断線することが抑制される。
【００４２】
なお、本実施形態において、第１の透明電極部３１においても同様に、第１の透明電極部３１をＹ１−Ｙ２方向に横断する静電気の放電経路も形成されないため、第１の透明電極部３１の損傷も防止できる。
【００４３】
＜第３の実施形態＞
第１の実施形態の入力装置１０及び第２の実施形態の入力装置１１においては、幅細部４２を覆い、幅細部４２とブリッジ部３２とを絶縁する絶縁層３３が形成されており、突出部５０の島状部５０ａが絶縁層３３に比較的近い位置に形成される。そして、静電気の放電経路が突出部５０を通過して、ブリッジ部３２及び幅細部４２を通過しないように突出部５０が形成される。しかしながら、絶縁層３３に近い突出部５０に静電気が集中すると、絶縁層３３の周縁部において沿面放電が発生して、絶縁層３３の周囲の第１の透明電極部３１及び第２の透明電極部４１が損傷し、断線する場合がある。
【００４４】
図６は、第３の実施形態の入力装置を示す、第１の透明電極部及び第２の透明電極部の部分拡大平面図である。図６に示すように、第３の実施形態の入力装置１２は、第２の実施形態と同様の位置に突出部５１及び凹部５４が形成されており、突出部５１及び凹部５４の形状が異なって形成されている。突出部５１は、島状部５１ａと接続部５１ｂとを有して構成されており、接続部５１ｂは、第１の透明電極部３１ｂから第２の透明電極部４１ａに向かい延在するとともに、島状部５１ａは、接続部５１ｂの端部において絶縁層３３から離れる方向に向かい形成されている。
【００４５】
このように突出部５１を形成することにより、ＥＳＤが発生した際に突出部５１を通過する静電気の放電経路が、絶縁層３３から離れた位置を経由するため、絶縁層３３の周縁部における沿面放電の発生を防止して、第１の透明電極部３１及び第２の透明電極部４１の損傷を防止できる。
【００４６】
図７は、第３の実施形態の入力装置の変形例を示す部分拡大平面図である。また、図８は第３の実施形態の変形例における突出部の部分拡大平面図である。
【００４７】
本変形例において、図７及び図８に示すような突出部５２の形状であっても、同様に絶縁層３３の周縁部における沿面放電を防止する効果が得られる。図７及び図８に示すように、接続部５２ｂを島状部５２ａと同等に幅広に形成してもよい。そして、接続部５２ｂは、第１の透明電極部３１から第２の透明電極部４１に向かい延在している。また、島状部５２ａは、接続部５２ｂの端部に設けられており、第１の透明電極３０の延在方向（Ｘ１−Ｘ２方向）に対して直交する方向において、絶縁層３３から離れる方向に向かい形成されている。
【００４８】
図８に示すように、第２の透明電極部４１に形成された凹部５４の内周には、島状部５２ａの角部に対向する位置に微小凸部５４ａが形成されている。島状部５２ａと微小凸部５４ａとの第２の間隔Ｆは、微小凸部５４ａが設けられていない凹部５４と島状部５２ａとの第２の間隔Ｈ、及び接続部５２ｂと凹部５４との第２の間隔Ｇよりも小さくなるように形成されている。
【００４９】
図７及び図８に示すように突出部５２及び凹部５４を形成することにより、静電気の放電経路が、島状部５２ａ及び微小凸部５４ａを通過するように形成され、絶縁層３３から離れた位置を経由するように形成される。よって絶縁層３３の周縁部における沿面放電の発生を防止して、第１の透明電極部３１及び第２の透明電極部４１の損傷を防止できる。
【００５０】
なお、凹部５４の内周に形成された微小凸部５４ａは、図１から図６に示した各実施形態の入力装置１０、１１、１２に適用してもよい。
【００５１】
＜第４の実施形態＞
図９は第４の実施形態の入力装置における、第１の透明電極部及び第２の透明電極部の部分拡大平面図である。図９に示すように、本実施形態の入力装置１３は、間隔を設けて隣り合う位置に形成された第１の透明電極部３１及び第２の透明電極部４１において、第１の透明電極部３１には第１の突出部５３ａが形成されるとともに、第２の透明電極部４１には第２の突出部５３ｂが形成されている。そして、第１の突出部５３ａと第２の突出部５３ｂとは間隔を設けて対向して形成されている。本実施形態において、第１の突出部５３ａ及び第２の突出部５３ｂは、三角形状に形成されており、それぞれの頂点同士が向かい合って形成されている。図９に示すように、対向する第１の突出部５３ａと第２の突出部５３ｂとは第３の間隔Ｊを設けて形成されており、第３の間隔Ｊは、第１の透明電極部３１と第２の透明電極部４１との第１の間隔Ａよりも小さく形成されている。
【００５２】
これにより、ＥＳＤが発生した際に、第１の突出部５３ａと第２の突出部５３ｂとが対向した箇所を通して静電気放電の経路が形成されて、ブリッジ部３２、幅細部４２とは異なる箇所において放電させることが可能であるため、ブリッジ部３２及び幅細部４２の静電気放電の発生による損傷が抑制される。
【００５３】
また、第２の実施形態の入力装置１１と同様に、２つの第１の透明電極部３１ａ、３１ｂに挟まれた第２の透明電極部４１ａにおいて、第２の透明電極部４１ａのＸ１−Ｘ２方向のいずれか一方の領域においてのみ第１の突出部５３ａ及び第２の突出部５３ｂが形成されている。すなわち、第２の透明電極部４１ａのＹ１方向に臨む２辺のうち一方の辺にのみ第２の突出部５３ｂが形成されるとともに、第１の透明電極部３１ｂのＹ２側に臨む２辺のうち一方の辺にのみ第１の突出部５３ａが形成されて、第１の突出部５３ａと第２の突出部５３ｂとが対向するように配置される。よって、静電気の放電経路が第２の透明電極部４１をＸ１−Ｘ２方向に平行に横断して形成されないことから、第２の透明電極部４１が静電気放電により損傷を受けて断線することが防止される。
【００５４】
図１０は、第４の実施形態の入力装置の変形例における、入力装置の部分拡大平面図である。本変形例の入力装置１３は、間隔を設けて隣り合う第１の透明電極部３１及び第２の透明電極部４１において、第１の突出部５３ａ及び第２の突出部５３ｂが設けられている。そして、第１の突出部５３ａと第２の突出部５３ｂとが、第２の透明電極４０の延在方向（Ｙ１−Ｙ２方向）において向かい合って形成されている。そして、第１の突出部５３ａと第２の突出部５３ｂとの、Ｙ１−Ｙ２方向における第３の間隔Ｋは、第１の透明電極部３１と第２の透明電極部４１との第１の間隔Ａよりも小さくなるように形成されている。
【００５５】
本変形例の入力装置１３によれば、ＥＳＤが発生した際に、静電気の放電経路が第１の突出部５３ａ及び第２の突出部５３ｂをＹ１−Ｙ２方向に通過して形成される。よって、静電気の放電経路が、絶縁層３３から離れた位置を通過するように形成されるため、絶縁層３３の周縁部における沿面放電の発生を防止して、第１の透明電極部３１及び第２の透明電極部４１の損傷を防止できる。
【００５６】
なお、各実施形態の入力装置１０〜１３において、第１の透明電極部３１及び第２の透明電極部４１の形状はいずれも菱形形状であるが、第１の透明電極部３１及び第２の透明電極部４１の形状や配列は、この態様に限定されない。矩形状、あるいは多角形状であっても良く、第１の透明電極部３１と第２の透明電極部４１との形状を異ならせたり、配列を変えたりした場合であっても同様の効果を奏する。
【符号の説明】
【００５７】
１０、１１、１２、１３  入力装置
１５  入力領域
１６  非入力領域
２０  透明基材
３０  第１の透明電極
３１、３１ａ、３１ｂ  第１の透明電極部
３２  ブリッジ部
３３  絶縁層
４０  第２の透明電極
４１、４１ａ、４１ｂ  第２の透明電極部
４２  幅細部
５０、５１、５２  突出部
５０ａ、５１ａ、５２ａ  島状部
５０ｂ、５１ｂ、５２ｂ  接続部
５３ａ  第１の突出部
５３ｂ  第２の突出部
５４  凹部
５４ａ  微小凸部
Ａ  第１の間隔
Ｂ〜Ｈ  第２の間隔
Ｊ、Ｋ  第３の間隔
【図１】
2014153789.tif 000003
【図２】
2014153789.tif 000004
【図３】
2014153789.tif 000005
【図４】
2014153789.tif 000006
【図５】
2014153789.tif 000007
【図６】
2014153789.tif 000008
【図７】
2014153789.tif 000009
【図８】
2014153789.tif 000010
【図９】
2014153789.tif 000011
【図１０】
2014153789.tif 000012
【図１１】
2014153789.tif 000013